(57)【要約】【課題】従来のＧＮＳＳ受信機は、補強信号の利用に関して柔軟性に欠けるという問題がある。【解決手段】本発明の一実施形態における測位装置は、衛星信号および複数の補強信号を受信可能な受信部と、当該受信した衛星信号に基づいて、自装置の位置を測位する測位部と、当該受信した複数の補強信号のうち、所定の条件に基づいて、当該測位部による測位結果を補正するために用いる補強信号を選択する選択部と、当該選択部が選択した補強信号に基づいて、測位結果を補正するための補正情報を計算するデータ変換部と、を備え、当該測位部は、当該データ変換部が計算した補正情報を用いて、当該測位部による測位結果を補正する。【選択図】図１
2018100874.tif 000002
【特許請求の範囲】
【請求項１】
衛星信号および複数の補強信号を受信可能な受信部と、
前記受信した衛星信号に基づいて、自装置の位置を測位する測位部と、
前記受信した複数の補強信号のうち、所定の条件に基づいて、前記測位部による測位結果を補正するために用いる補強信号を選択する選択部と、
前記選択部が選択した補強信号に基づいて、測位結果を補正するための補正情報を計算するデータ変換部と、を備え、
前記測位部は、前記データ変換部が計算した補正情報を用いて、前記測位部による測位結果を補正する測位装置。
【請求項２】
前記所定の条件は、測位結果の収束に要する時間が短いことであり、
前記選択部は、前記複数の補強信号のうち、前記測位結果の収束要する時間が短い補強信号を選択する
ことを特徴とする請求項１に記載の測位装置。
【請求項３】
前記所定の条件は、補強信号を受信していることであり、
前記選択部は、前記複数の補強信号のうち、受信している補強信号を選択する
ことを特徴とする請求項１または２に記載の測位装置。
【請求項４】
前記所定の条件は、複数の補強信号の各々に対して予め定められた優先度が高いことであり、
前記選択部は、前記複数の補強信号のうち、前記優先度が高い補強信号を選択する
ことを特徴とする請求項１乃至３のいずれかに記載の測位装置。
【請求項５】
前記所定の条件は、前記測位装置が補強信号を受信可能な衛星の数がより多いことであり、
前記選択部は、前記複数の補強信号のうち、前記補強信号を受信可能な衛星の数がより多い衛星からの補強信号を選択する
ことを特徴とする請求項１乃至４のいずれかに記載の測位装置。
【請求項６】
前記選択部は、所定の時間内であれば第１の所定の条件を用いて補強信号を選択し、前記所定の時間経過後であれば第２の所定の条件を用いて補強信号を選択する
ことを特徴とする請求項１乃至５のいずれかに記載の測位装置。
【請求項７】
前記第１の所定の条件は、補正情報の計算に要する時間が短いことであり、
前記第２の所定の条件は、測位結果の補正の精度が高いことである
ことを特徴とする請求項６に記載の測位装置。
【請求項８】
前記受信部は、前記複数の補強信号のうちの少なくとも１つを、ネットワークから受信可能である
ことを特徴とする請求項１乃至７のいずれかに記載の測位装置。
【請求項９】
前記複数の補強信号の各々は、前記測位結果を補正するための異なる複数のシステムの補強信号の各々に対応し、
前記選択部は、前記異なる複数のシステムの各々に対応する前記複数の補強信号のうち、前記所定の条件に基づいて、前記測位部による測位結果を補正するために用いる補強信号を選択する
ことを特徴とする請求項１乃至８のいずれかに記載の測位装置。
【請求項１０】
前記測位部は、前記異なる複数のシステムのうち、一のシステムに対応する補強信号から算出された補正情報を、他のシステムに対応する補強信号から計測結果を収束する際の初期値として利用する
ことを特徴とする請求項９に記載の測位装置。
【請求項１１】
前記複数の補強信号は、ＣＬＡＳにおける補強信号と、ＭＡＤＯＣＡにおける補強信号とを含み、
前記選択部は、所定の条件に基づいて、ＣＬＡＳにおける補強信号と、ＭＡＤＯＣＡにおける補強信号とのいずれかを選択する
ことを特徴とする請求項１乃至１０のいずれかに記載の測位装置。
【請求項１２】
衛星信号および複数の補強信号を受信可能な受信部と、
前記受信した衛星信号に基づいて、自装置の位置を測位する測位部と、
前記受信した複数の補強信号の各々に対して、測位結果を補正するための補正情報を計算するデータ変換部と、
前記データ変換部が計算した複数の補正情報のうち、所定の条件に基づいて、前記測位部による測位結果を補正するために用いる補正情報を選択する選択部と、を備え、
前記測位部は、前記選択部が選択した補正情報を用いて、前記測位部による測位結果を補正する測位装置。
【請求項１３】
衛星信号および複数の補強信号を受信可能な受信部と、
受信した前記複数の補強信号の各々に対して、測位結果を補正するための補正情報を計算するデータ変換部と、
前記受信した衛星信号に基づいて自装置の位置を測位するとともに、前記データ変換部が計算した複数の補正情報の各々を用いて、測位した前記自装置の位置を補正する測位部と、
前記測位部が複数の補正情報の各々を用いて補正した、複数の測位結果のうち、所定の条件に基づいて、出力する測位結果を選択する選択部と、
を備える測位装置。
【請求項１４】
衛星信号および複数の補強信号を受信する受信ステップと、
前記受信した衛星信号に基づいて、自装置の位置を測位する測位ステップと、
前記受信した複数の補強信号のうち、所定の条件に基づいて、前記測位結果を補正するために用いる補強信号を選択する選択ステップと、
前記選択した補強信号に基づいて、測位結果を補正するための補正情報を計算するデータ変換ステップと、を含み、
前記データ変換ステップにおいて、前記計算した補正情報を用いて、前記測位結果を補正する測位方法。
【請求項１５】
コンピュータに、
衛星信号および複数の補強信号を受信する受信機能と、
前記受信した衛星信号に基づいて、自装置の位置を測位する測位機能と、
前記受信した複数の補強信号のうち、所定の条件に基づいて、前記測位結果を補正するために用いる補強信号を選択する選択機能と、
前記選択した補強信号に基づいて、測位結果を補正するための補正情報を計算するデータ変換機能と、を実行させ、
前記データ変換機能において、前記計算した補正情報を用いて、前記測位結果を補正するプログラム。
【発明の詳細な説明】
【技術分野】
【０００１】
本発明は、測位装置、測位方法及びプログラムに関する。
【背景技術】
【０００２】
従来、衛星からの衛星信号を受信して、位置情報を測位することが行われている。一般には、ＧＰＳ（Ｇｌｏｂａｌ  Ｐｏｓｉｔｉｏｎｉｎｇ  Ｓｙｓｔｅｍ）衛星からの衛星信号を利用した測位が広範に知られている。一方、衛星を利用した測位システムには、ＧＰＳ以外にも、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、Ｇａｌｉｌｅｏ、ＱＺＳＳ（Ｑｕａｓｉ―Ｚｅｎｉｔｈ  Ｓａｔｅｌｌｉｔｅｓ  Ｓｙｓｔｅｍ）、など様々なシステムが考案、実現されている。これらのシステムは総称してＧＮＳＳ（Ｇｌｏｂａｌ  Ｎａｖｉｇａｔｉｏｎ  Ｓａｔｅｌｌｉｔｅ  Ｓｙｓｔｅｍ）と呼称されることがある。そして、それらの測位システムに併せて様々な機器もまた開発されている。
【０００３】
特許文献１には、ＧＮＳＳ受信機が、ＧＰＳ衛星からの衛星信号を利用して、測位を行うことが開示されている。特許文献１に記載のＧＮＳＳ受信機は、ＧＰＳ衛星が発信するＧＰＳアルマナックデータの補正を行うことで、ＧＰＳ受信機の位置の精度を改善することが記載されている。
【先行技術文献】
【特許文献】
【０００４】
【特許文献１】特開２０１５−２８４８５号公報
【発明の概要】
【発明が解決しようとする課題】
【０００５】
しかしながら、特許文献１に記載のＧＮＳＳ受信機は、ＧＰＳ衛星が発信するＧＰＳアルマナックデータの補正を行うことしか開示されておらず、補強信号の利用に関して柔軟性に欠けるという問題がある。
【０００６】
そこで、本発明においては、補強信号の利用の柔軟性を向上させることにより、適切な補強信号を用いて測位結果を補正することが可能な測位装置、測位方法及び測位プログラムを提供することを目的とする。
【課題を解決するための手段】
【０００７】
本発明の一実施形態における測位装置は、衛星信号および複数の補強信号を受信可能な受信部と、当該受信した衛星信号に基づいて、自装置の位置を測位する測位部と、当該受信した複数の補強信号のうち、所定の条件に基づいて、当該測位部による測位結果を補正するために用いる補強信号を選択する選択部と、当該選択部が選択した補強信号に基づいて、測位結果を補正するための補正情報を計算するデータ変換部と、を備え、当該測位部は、当該データ変換部が計算した補正情報を用いて、当該測位部による測位結果を補正する。
【０００８】
本発明の一実施形態における測位装置において、当該所定の条件は、測定結果の収束に要する時間が短いことであり、当該選択部は、当該複数の補強信号のうち、当該計測結果の収束に要する時間が短い補強信号を選択することを特徴としてもよい。
【０００９】
本発明の一実施形態における測位装置において、当該所定の条件は、補強信号を受信していることであり、当該選択部は、当該複数の補強信号のうち、現在受信している補強信号を選択することを特徴としてもよい。
【００１０】
本発明の一実施形態における測位装置において、当該所定の条件は、複数の補強信号の各々に対して予め定められた優先度が高いことであり、当該選択部は、当該複数の補強信号のうち、当該優先度が高い補強信号を選択することを特徴としてもよい。
【００１１】
本発明の一実施形態における測位装置において、当該所定の条件は、当該測位装置が補強信号を受信可能な衛星の数がより多いことであり、当該選択部は、当該複数の補強信号のうち、当該補強信号を受信可能な衛星の数がより多い衛星からの補強信号を選択することを特徴としてもよい。
【００１２】
本発明の一実施形態における測位装置において、当該選択部は、所定の時間内であれば第１の所定の条件を用いて補強信号を選択し、当該所定の時間経過後であれば第２の所定の条件を用いて補強信号を選択することを特徴としてもよい。
【００１３】
本発明の一実施形態における測位装置において、当該第１の所定の条件は、補正情報の計算に要する時間が短いことであり、当該第２の所定の条件は、測位結果の補正の精度が高いことであることを特徴としてもよい。
【００１４】
本発明の一実施形態における測位装置において、当該受信部は、当該複数の補強信号のうちの少なくとも１つを、ネットワークから受信可能であることを特徴としてもよい。
【００１５】
本発明の一実施形態における測位装置において、当該複数の補強信号の各々は、当該測位結果を補正するための異なる複数のシステムの補強信号の各々に対応し、当該選択部は、当該異なる複数のシステムの各々に対応する当該複数の補強信号のうち、当該所定の条件に基づいて、当該測位部による測位結果を補正するために用いる補強信号を選択することを特徴としてもよい。
【００１６】
本発明の一実施形態における測位装置において、当該測位部は、当該異なる複数のシステムのうち、一のシステムに対応する補強信号から算出された補正情報を、他のシステムに対応する補強信号から計測結果を収束する際の初期値として利用することを特徴としてもよい。
【００１７】
本発明の一実施形態における測位装置において、当該複数の補強信号は、ＣＬＡＳにおける補強信号と、ＭＡＤＯＣＡにおける補強信号とを含み、当該選択部は、所定の条件に基づいて、当該ＣＬＡＳにおける補強信号と、当該ＭＡＤＯＣＡにおける補強信号とのいずれかを選択することを特徴としてもよい。
【００１８】
本発明の一実施形態における測位装置は、衛星信号および複数の補強信号を受信可能な受信部と、当該受信した衛星信号に基づいて、自装置の位置を測位する測位部と、当該受信した複数の補強信号の各々に対して、測位結果を補正するための補正情報を計算するデータ変換部と、当該データ変換部が計算した複数の補正情報のうち、所定の条件に基づいて、当該測位部による測位結果を補正するために用いる補正情報を選択する選択部と、を備え、当該測位部は、当該選択部が選択した補正情報を用いて、当該測位部による測位結果を補正する。
【００１９】
本発明の一実施形態における測位装置は、衛星信号および複数の補強信号を受信可能な受信部と、受信した当該複数の補強信号の各々に対して、測位結果を補正するための補正情報を計算するデータ変換部と、当該受信した衛星信号に基づいて自装置の位置を測位するとともに、当該データ変換部が計算した複数の補正情報の各々を用いて、測位した当該自装置の位置を補正する測位部と、当該測位部が複数の補正情報の各々を用いて補正した、複数の測位結果のうち、所定の条件に基づいて、出力する測位結果を選択する選択部と、を備える。
【００２０】
本発明の一実施形態における測位方法は、衛星信号および複数の補強信号を受信する受信ステップと、当該受信した衛星信号に基づいて、自装置の位置を測位する測位ステップと、当該受信した複数の補強信号のうち、所定の条件に基づいて、当該測位結果を補正するために用いる補強信号を選択する選択ステップと、当該選択した補強信号に基づいて、測位結果を補正するための補正情報を計算するデータ変換ステップと、を含み、当該データ変換ステップにおいて、当該計算した補正情報を用いて、当該測位結果を補正する。
【００２１】
本発明の一実施形態におけるプログラムは、コンピュータに、衛星信号および複数の補強信号を受信する受信機能と、当該受信した衛星信号に基づいて、自装置の位置を測位する測位機能と、当該受信した複数の補強信号のうち、所定の条件に基づいて、当該測位結果を補正するために用いる補強信号を選択する選択機能と、当該選択した補強信号に基づいて、測位結果を補正するための補正情報を計算するデータ変換機能と、を実行させ、当該データ変換機能において、当該計算した補正情報を用いて、当該測位結果を補正する。
【発明の効果】
【００２２】
本発明の一実施形態における測位装置、測位方法及び測位プログラムは、補強信号の利用の柔軟性を向上させることにより、適切な補強信号を用いて測位結果を補正することができる。
【図面の簡単な説明】
【００２３】
【図１】本発明の一実施形態における衛星システムの構成例を示す図である。
【図２】一の衛星システムの構成例を示す図である。
【図３】測位装置のデータ変換部の構成例を示すブロック図である。
【図４】測位装置のデータ変換部の他の構成例を示す図である。
【図５】本発明の一実施形態における衛星システムの他の構成例を示す図である。
【図６】本発明の一実施形態における衛星システムの他の構成例を示す図である。
【図７】本発明の一実施形態における測位装置の動作例を示すフローチャートである。
【図８】本発明の一実施形態における測位装置の他の動作例を示すフローチャートである。
【図９】本発明の一実施形態における測位装置の他の動作例を示すフローチャートである。
【図１０】本発明の一実施形態における衛星システムの他の構成例を示す図である。
【発明を実施するための形態】
【００２４】
本発明の一実施形態である測位装置１００について、図面を用いながら説明する。
【００２５】
図１は、本発明の一実施形態における測位システムの構成例を示すブロック図である。なお、本発明の一実施形態における測位システムの構成例は、図１に限られず、どのような構成であってもよい。なお、測位システムは、後述する図５や図６に例示する構成であってもよい。
【００２６】
図１に示すように、本発明の一実施形態における測位システムは、複数の衛星２００を含む。複数の衛星２００の各々は、互いに異なる周波数を用いて、衛星信号を発信する。例えば、複数の衛星２００のうちの一の衛星２００は、例えば、Ｌ１周波数（例えば、１５７５．４２ＭＨｚ）の衛星信号を発信する。また、他の衛星２００は、例えば、Ｌ２周波数（例えば、１２２７．６０ＭＨｚ）の衛星信号を発信する。また、他の衛星２００は、例えば、Ｌ５周波数（例えば、１１７６．４５ＭＨｚ）の衛星信号を発信する。また、他の衛星２００は、例えば、Ｌ６周波数（例えば、１２７８．７５ＭＨｚ）の衛星信号を発信する。なお、衛星２００の各々は、衛星信号だけでなく、補強信号を発信してもよい。また、補強信号は、衛星信号に含まれていてもよい。
【００２７】
複数の衛星２００は、例えば、準天頂軌道、つまり特定の一地域の上空に長時間とどまる軌道をとる準天頂衛星を含む。また、複数の衛星２００は、静止軌道（赤道上空の高度約３５，７８６Ｋｍの円軌道）を、地球の自転周期と同じ周期で肯定している静止衛星を含んでいてもよい。
【００２８】
複数の衛星２００の１つであるＧＰＳ衛星は、例えば、測位用のＬ１周波数帯とＬ２周波数帯の送信機、および、複数のセシウムおよびルビジウム原子時計を搭載し、軌道高度約２０．０００ｋｍ、周回周期０．５恒星日、６枚の軌道面に４個ずつ合計２４個の衛星２００により、衛星システムを構成する。
【００２９】
図１に示すように、本発明の一実施形態の測位システムは、測定装置１００を含む。測位装置１００は、複数の補強信号のうち、所定の条件に基づいて選択した補強信号を用いて、衛星信号に基づいて測位した測位結果を補正する機能を備える。測位装置１００は、例えば、複数の衛星２００の各々から発信された補強信号を受信し、衛星信号を用いて測位した測位結果を補強する機能（サブメータ級測位補強、センチメートル級測位補強など）を備える。
【００３０】
測位装置１００は、例えば、Ｌ６周波数帯（例えば、１２７８．７５ＭＨｚ）を用いて送信される複数の補強信号を受信する。そして、測位装置１００は、所定の条件に基づいて受信した複数の補強信号のいずれかを用いて、衛星信号（例えば、ＧＰＳ信号など）に基づいて測位した測位結果を補正する。
【００３１】
ここで、準天頂衛星を準天頂軌道に配置し、所定の地域付近（例えば日本付近）で常に天頂方向に見えるようにした衛星システムである準天頂衛星システムにおいて、当該所定の地域で受信可能な特定地域上に留まる３機の衛星２００からの補強信号を用いて、例えばＧＰＳを補完及び補強することが可能である。準天頂衛星システムでは、準天頂衛星を３機以上用意して準天頂軌道から衛星信号や補強信号を送信し、地上から高仰角で観測できる準天頂衛星を常に１機は見通せることができるようにする。このようにすることで、例えば山間地やビル陰等に影響されず、所定の地域（例えば日本全国）をほぼ１００％カバーする高精度の測位サービスの提供を実現可能である。なお、所定の地域は、日本に限られず、どのような単位であってもよく、例えば東南アジアや南米、その他の地域の国などであってもよい。また、所定の地域は、複数の国を１つの地域とみなしてもよいし、１つの国の一部の地域であってもよい。
【００３２】
準天頂衛星システムは、例えばＧＰＳを補完・補強するサービスを含む。準天頂衛星システムにおけるＧＰＳ補完サービスは、例えばＧＰＳと組み合わせ、準天頂軌道を利用して衛星の幾何学的配置を改善することにより、都市部や山間部等における測位可能エリア・時間を増大させる。また、準天頂衛星から、例えばＬ６周波数帯の補強信号を送信して、測位精度を向上させる。なお、準天頂システムが補完・補強可能な衛星信号は、ＧＰＳに限られず、どのようなシステムであってもよい。準天頂システムは、例えば、ＧＰＳ以外にも、ＧＬＯＮＡＳＳ、Ｇａｌｉｌｅｏ、ＱＺＳＳなどのシステムを、補完・補強可能である。
【００３３】
準天頂衛星システムにおける補完・補強サービスは、準天頂衛星から、例えばＬ１−ＳＡＩＦ信号やＬＥＸ信号などの補強信号を送信することで、当該補強信号による高精度化を図るものである。準天頂衛星システムは、天頂に存在する衛星が１機（準天頂衛星）あるので、当該衛星を捕捉する。そして、補足した衛星を利用して他のＧＰＳ衛星を捕捉することにより、合計４機の衛星２００を捕捉し、測位を開始する。
【００３４】
ＧＰＳなどによる衛星測位の誤差を生じさせる要因には、例えば、測位衛星システムの誤差要因として、衛星クロック誤差や信号間バイアス誤差、衛星軌道誤差がある。また、電波伝搬による誤差要因として、電離層伝搬遅延誤差や対流圏伝搬遅延誤差がある。本発明の一実施形態において、測位装置１００は、Ｌ６周波数帯を用いて送信される補強信号を用いて、これらの誤差を補正し、より正確な測位結果を算出する。
【００３５】
測位装置１００は、Ｌ６周波数帯（例えば、１２７８．７５ＭＨｚ）を用いて受信可能な“センチメータ級測位補強サービス（ＣＬＡＳ：Ｃｅｎｔｉｍｅｔｅｒ  Ｌｅｖｅｌ  Ａｕｇｍｅｎｔａｔｉｏｎ  Ｓｅｒｖｉｃｅ）における補強信号”と、“複数ＧＮＳＳ高精度軌道時刻推定ツール（Ｍｕｌｔｉ―ＧＮＳＳ  Ａｄｖａｎｃｅｄ  Ｄｅｍｏｎｓｔｒａｔｉｏｎ  ｔｏｏｌ  ｆｏｒ  Ｏｒｂｉｔ  ａｎｄ  Ｃｌｏｃｋ  Ａｎａｌｙｓｉｓ）における補強信号”とのいずれかを用いて、測位結果を補正する。
【００３６】
“ＣＬＡＳ”は、測位補強サービスのことを意味する場合もあれば、ベンダーＩＤ（Ｉｄｅｎｔｉｆｉｅｒ）を意味する場合もある。ＣＬＡＳにおいて、補強信号に含まれる補正情報は、例えば、衛星クロック誤差や信号間バイアス誤差、衛星軌道誤差、電離層伝搬遅延誤差および対流圏伝搬遅延誤差を補正するための情報である。なお、ＣＬＡＳにおいて、補正情報は、これらの例に限られず、これらの一部であっても、さらの多くの補正情報を含んでいても良いことは言うまでもない。
【００３７】
また、“ＭＡＤＯＣＡ”は、測位補強システムのことを意味する場合もあれば、補強信号そのものを意味する場合もある。ＭＡＤＯＣＡにおいて、補強信号に含まれる補正情報は、例えば、衛星クロック誤差と衛星軌道誤差を補正するための情報である。なお、ＭＡＤＯＣＡにおいて、補正情報は、これらの例に限られず、これらの一部であっても、さらに多くの補正情報（例えば、信号間バイアス誤差や電離層伝搬遅延誤差、対流圏伝搬遅延誤差を補正するための情報や、衛星コードバイアス情報、ＵＲＡ情報、高速時刻補正情報、搬送波位相バイアス情報など）を含んでいても良いことは言うまでもない。
【００３８】
なお、測位装置１００は、複数の衛星２００の各々から発信した衛星信号を受信し、災害／危機管理通報サービスや衛星航法補強（ＳＢＡＳ）システム等を提供する機能を備えていてもよい。
【００３９】
以下では、まず、ＣＬＡＳの補強信号における測位結果の補正について説明する。その後、ＭＡＤＯＣＡの補強信号における測位結果の補正について、説明する。そして、その後、本発明の一実施形態における測位装置１００について、説明する。
【００４０】
＜構成＞
図２は、ＣＬＡＳの補強信号を用いて、衛星信号を補正するための測位システムの構成例を示す図である。図２に示すように、当該測位システムは、複数の衛星２００と、測位装置１００を含む。なお、ＣＬＡＳにおいて、測位装置１００が、補強信号を送受信可能な衛星２００の数は、所定数に限られる場合もある。その場合において、測位装置１００は、所定数以上の衛星２００とは、補強信号の送受信を実行しない。なお、所定数は、例えば「１１」であるが、あくまでも例示であって、この数は増減してもよい。
【００４１】
図２に示すように、測位装置１００は、アンテナ１１０と、受信部１２０と、データ変換部１３０と、測位部１４０と、を含んで構成される。なお、測位装置１００は、従来の測位システムが有する機能については、必要な範囲で搭載されていてもよい。。
【００４２】
アンテナ１１０は、例えば、各種の衛星から発信された衛星信号を受信し、受信部１２０に伝達する。アンテナ１１０は、複数含まれていてもよい。アンテナ１１０は、例えば、Ｌ１周波数（例えば、１５７５．４２ＭＨｚ）、Ｌ２周波数（例えば、１２２７．６０ＭＨｚ）、Ｌ５周波数（例えば、１１７６．４５ＭＨｚ）、Ｌ６周波数（例えば、１２７８．７５ＭＨｚ）の衛星信号や補強信号を受信可能である。なお、アンテナ１１０が受信可能な周波数は、これらの例に限られず、どのような周波数であってもよい。
【００４３】
図２に示すように、測位装置１００は、複数の衛星からの衛星信号や補強信号を同時に受信可能である。測位装置１００は、例えば、一の衛星から送信されたＬ１周波数（例えば、１２７８．７５ＭＨｚ）の衛星信号や補強信号と、他の衛星から送信されたＬ６周波数（例えば、１２７８．７５ＭＨｚ）の衛星信号や補強信号とを、同時に受信可能である。また、測位装置１００は、複数の衛星の各々から送信された複数のＬ６周波数の衛星信号や補強信号を受信可能である。
【００４４】
データ変換部１３０は、Ｌ６周波数の補強信号を用いて、ＧＰＳやＧＬＯＮＡＳＳ、Ｇａｌｉｌｅｏ、ＱＺＳＳなどのシステムにおける測位を補完・補強するための補正値を計算する機能を含む。なお、補強信号は、衛星信号に含まれていてもよい。
【００４５】
補強信号は、例えば、中心周波数は１２７８．７５ＭＨｚ、補強信号の変調はＫａｓａｍｉ系列拡散符号を使用したＢＰＳＫ（Ｂｉｎａｒｙ  Ｐｈａｓｅ  Ｓｈｉｆｔ  Ｋｅｙｉｎｇ）で周期４ｍｓのショートコードと周期４１０ｍｓのロングコードを交互に切り替える仕様であってもよい。ショートコードには１フレーム２０００ビットの航法メッセージ（例えば、ＬＥＸメッセージ）が重ね合わされていてもよい。メッセージは４９ビットのヘッダ、１６９５ビットのデータ部と、誤り検出・訂正用２５６ビットのリードソロモン（Ｒｅｅｄ―Ｓｏｌｏｍｏｎ）符号の計２０００ビットで構成されていてもよい。
【００４６】
また、補強信号のヘッダは、メッセージ先頭を示す３２ビットのプリアンブル、送信衛星識別用８ビットのＰＲＮ番号、ＧＰＳ衛星の擬似ランダム雑音信号の番号を含むものであってもよい。測位装置は、当該番号を用いて、所定の擬似雑音符号を発生して受信波形と比較することにより、所望の衛星を捕捉・受信することができる。また、補強信号のヘッダは、メッセージ種別を表す８ビットのメッセージタイプＩＤ、および１ビットのアラートフラグを含んでいてもよい。１フレームのメッセージは、１秒間で送信されるため、高精度測位補強用の補正情報に利用可能であり、実効データ伝送レートは例えば１６９５ｂｐｓである。なお、補強信号のヘッダは、これらの例に限られず、どのような内容の情報が含まれていてもよい。
【００４７】
準天頂衛星から送信される補強信号は、例えば、、エフェメリスやＳＶ（衛星ビークル）クロックパラメータＱＺＳＳ、ＧＰＳ衛星の高精度エフェメリス、ＳＶクロックパラメータが含まれる。また、補正情報として、電離層遅延補正パラメータ（ノミナル放送周期１２秒、更新周期３０分）や、信号ヘルス（ノミナル放送周期１秒、更新周期１秒）が含まれる。
【００４８】
（データ変換部１３０の構成）
図３は、データ変換部１３０の構成例を示す図である。データ変換部１３０は、複数設けられていてもよい。データ変換部１３０は、補強信号を提供するサービス毎に設けられてもよい。例えば、測定装置１００は、ＣＬＡＳサービスに対応したデータ変換部１３０と、ＭＡＤＯＣＡに対応したデータ変換部１３０とを含んでいてもよい。
【００４９】
図３に示すデータ変換部１３０は、補強信号を提供可能なサービスのうちの一のサービスに対応したデータ変換部１３０である。例えば、図３に示すデータ変換部１３０は、ＣＬＡＳサービスに対応したデータ変換部１３０である。なお、図３に示すデータ変換部は、ＣＬＡＳサービスに限られず、どのようなサービスに対応するものであってもよい。
【００５０】
図３に示すように、データ変換部１３０は、補強信号デコード部１３１と、衛星位置計算部１３２と、位置測位部１３３と、を含む。また、データ変換部１３０は、衛星時計誤差計算部１３４と、シグナルバイアス計算部１３５と、衛星軌道誤差計算部１３６と、対流圏誤差計算部１３７と、電離層誤差計算部１３８と、を含む。
【００５１】
補強信号デコード部１３１は、準天頂衛星からの補強信号をデコードする。なお、補強信号デコード部１３１は、複数の補強信号をデコード可能である。そして、補強信号デコード部１３１は、衛星信号に含まれる補強信号の各々を、衛星時計誤差計算部１３４と、シグナルバイアス計算部１３５と、衛星軌道誤差計算部１３６と、対流圏誤差計算部１３７と、電離層誤差計算部１３８とに、それぞれ出力する。
【００５２】
また、衛星位置計算部１３２は、衛星から受信した衛星信号から、当該衛星の軌道を計算可能である。衛星位置計算部１３２は、例えば、衛星軌道に基づいて、衛星軌道面内の衛星の位置を求める。また、位置測位部１３３は、例えば、単独測位により、測位装置１００の位置を測位する。単独測位は、例えば、４個以上の衛星２００から衛星信号を受信し、各衛星からの距離を算出して測位することにより、自装置の位置を測位する方法である。距離の算出には、例えばＧＰＳ衛星の場合には、送信される搬送波に含まれるＣ/ＡコードやＰコードを利用する。
【００５３】
衛星時計誤差計算部１３４は、衛星時計誤差を計算するための機能を備える。衛星時計誤差は、複数の衛星２００の各々に搭載されているクロック（時計）や、測位装置１００に含まれる時計などの誤差である。衛星時計誤差計算部１３４は、補強信号に含まれる高速な情報（すなわち、周期が短い情報）を用いて、短い周期で衛星時計誤差を計算する。具体的には、衛星時計誤差計算部１３４は、高速な情報である高速補正情報に含まれる情報を用いて、衛星時計誤差を求める。
【００５４】
シグナルバイアス計算部１３５は、信号バイアスを出力する機能を備える。なお、信号バイアスは、各衛星信号のコード信号及び搬送波位相信号に含まれる距離バイアス情報である。信号バイアスは、補強信号に含まれる値（信号バイアス）を直接使用してもよい。
【００５５】
衛星軌道誤差計算部１３６は、衛星軌道誤差を計算するための機能を備える。衛星軌道誤差は、衛星２００の軌道が不正確であることによって生じる。衛星軌道誤差計算部１３６は、補強信号に含まれる軌道誤差ベクトルと、衛星位置計算部１３２から入力される衛星の位置ベクトルと、位置計算部から入力される測位装置１００のベクトルと、に基づいて、衛星軌道の誤差ベクトルを計算する。
【００５６】
対流圏誤差計算部１３７は、補正情報である対流圏遅延補正情報と、衛星位置計算部１３２から入力される衛星２００の位置ベクトルと、位置計算部から入力される測位装置１００のベクトルと、に基づいて、対流圏誤差を計算する。対流圏誤差は、衛星信号が対流圏（大気中）を通過する場合、真空中を通過する場合に比べて減速する効果と、伝播経路がわずかな曲率を持つため直線から延びる効果とによって生じる誤差である。対流圏誤差は、例えば、気象条件や測位装置１００の位置、衛星２００の位置などにより変化する。そこで、対流圏誤差計算部１３７は、衛星２００や測位装置１００の位置ベクトルに基づいて、対流圏誤差を計算する。
【００５７】
電離層誤差計算部１３８は、補正情報である電離層遅延補正情報と、位置計算部から入力される測位装置１００のベクトルと、に基づいて、電離層誤差を計算する。電離層誤差は、衛星信号が電離層を通過する際に生じる誤差である。電離層は、地球大気上層の分子、原子が太陽光線を受けイオンと電子に電離したもので高度約５０〜１００Ｋｍに分布している。そして、衛星信号が当該電離層を通過すると誤差が生じるが、当該誤差は測位装置１００の位置と衛星２００の位置とに影響を受ける。そこで、電離層誤差計算部は、測位装置１００のベクトル等に基づいて、電離層誤差を計算する。
【００５８】
図２に示すように、測位装置１００の測位部１４０は、補正値計算部１５０を含む。補正値計算部１５０は、衛星時計誤差計算部１３４と、シグナルバイアス計算部１３５と、衛星軌道誤差計算部１３６と、対流圏誤差計算部１３７と、電離層誤差計算部１３８から入力した補正値に基づいて、搬送波位相補正値および擬似距離補正値を計算する。搬送波位相補正値は、衛星時計誤差や、シグナルバイアス、衛星軌道誤差などから生じる衛星信号の位相の誤差を補正するための補正値である。疑似距離補正値は、電離層や対流圏による伝送遅延誤差などを補正するための補正値である。測定装置１００は、搬送波位相補正値および擬似距離補正値を用いて、測位結果を補正することにより、より正確な測位結果を得ることが可能となる。
【００５９】
測位部１４０は、例えばＧＰＳ衛星などから受信した衛星信号から、当該衛星２００の軌道を計算する。測位部１４０は、その後、計算した衛星軌道に基づいて、衛星軌道面内の衛星の位置を求める。そして、測位部１４０は、衛星軌道面内のＸＹ座標を地球の重心を基準にした地心赤道座標（３次元のＸＹＺ座標）に変換することにより、観測地点から衛星２００方向の方位角、仰角及び距離を計算する。そして、測位部１４０は、計算した方位角、仰角及び距離を、補正値計算部１５０によって計算された搬送波位相補正値および擬似距離補正値に基づいて補正する。その後、測位部１４０は、補正した観測地点から衛星２００方向の方位角、仰角及び距離を、測位結果として出力する。
【００６０】
（他のデータ変換部１３０の構成）
図４は、測位装置１００に含まれる他のデータ変換部１３０の構成例を示す図である。図４に示すデータ変換部１３０は、例えば、ＭＡＤＯＣＡに対応したデータ変換部１３０である。なお、図４に示すデータ変換部は、ＭＡＤＯＣＡに限られず、どのようなシステム・サービスに対応するものであってもよい。
【００６１】
図４に示すように、データ変換部１３０は、補強信号デコード部１３１と、衛星時計誤差計算部１３４と、衛星軌道誤差計算部１３６と、を含む。図４のデータ変換部１３０は、例えば、ＭＡＤＯＣＡの衛星信号が、高速な補正情報と、長期補正情報である軌道誤差ベクトルとを含む場合におけるデータ変換部１３０の構成例である。なお、図４に示すＭＡＤＯＣＡの構成例は、あくまでも例示であって、他の構成が含まれていてもよい。例えば、ＭＡＤＯＣＡの補強信号に、衛星時計誤差に関する情報と、衛星軌道誤差に関する情報以外の他の情報が含まれる場合には、データ変換部１３０は、当該他の情報に対応して、補正情報を計算するための構成が含まれていてもよい。
【００６２】
補強信号デコード部１３１は、準天頂衛星（衛星２００）からの補強信号をデコードする。補強信号デコード部１３１は、衛星信号に含まれる補強信号の各々を、衛星時計誤差計算部１３４と、衛星軌道誤差計算部１３６とに、それぞれ出力する。
【００６３】
衛星時計誤差計算部１３４は、図３に示す衛星時計誤差計算部１３４と同様の構成である。すなわち、衛星時計誤差計算部１３４は、衛星時計誤差を計算するための機能を備える。衛星時計誤差は、複数の衛星２００の各々に搭載されているクロック（時計）や、測位装置１００に含まれる時計などの誤差である。衛星時計誤差計算部１３４は、補強信号に含まれる高速な情報（すなわち、周期が短い情報）を用いて、短い周期で衛星時計誤差を計算する。具体的には、衛星時計誤差計算部１３４は、高速な情報である高速補正情報に含まれる情報を用いて、衛星時計誤差を求める。
【００６４】
衛星軌道誤差計算部１３６は、図３に示す衛星軌道誤差計算部１３６と同様の構成である。すなわち、衛星軌道誤差計算部１３６は、補強信号に含まれる軌道誤差ベクトルと、衛星位置計算部１３２から入力される衛星の位置ベクトルと、位置計算部から入力される測位装置１００のベクトルと、に基づいて、衛星軌道の誤差ベクトルを計算する。
【００６５】
補正値計算部１５０は、衛星時計誤差計算部１３４が計算した衛星時計誤差と、衛星軌道誤差計算部１３６が計算した衛星軌道の誤差ベクトルとを、測位部１４０に出力する。
【００６６】
補正値計算部１５０は、ＧＰＳ衛星などから受信した衛星信号から、信号バイアス、対流圏誤差および電離層誤差の各々を補正するための補正情報を計算する。なお、衛星信号から信号バイアス、対流圏誤差および電離層誤差の各々を補正するための補正情報を計算する方法は、種々の方法やアルゴリズムを利用することが可能である。補正値計算部１５０が衛星信号から信号バイアスや対流圏誤差、電離層誤差の各々を補正するための補正情報を計算するためには、所定の時間を要する。所定の時間は、例えば、約３０分であるが、この時間はあくまでも例示であって、より長い時間または短い時間であってもよい。
【００６７】
また、補正値計算部１５０は、計算した信号バイアス、対流圏誤差および電離層誤差と、データ変換部１３０から入力した衛星時計誤差および衛星軌道の誤差ベクトルと、を用いて、搬送波位相補正値および擬似距離補正値を計算する。
【００６８】
測位部１４０は、例えばＧＰＳ衛星などから受信した衛星信号から、当該衛星２００の軌道を計算する。測位部１４０は、その後、計算した衛星軌道に基づいて、衛星軌道面内の衛星の位置を求める。そして、測位部１４０は、衛星軌道面内のＸＹ座標を地球の重心を基準にした地心赤道座標（３次元のＸＹＺ座標）に変換することにより、観測地点から衛星２００方向の方位角、仰角及び距離を計算する。そして、測位部１４０は、計算した方位角、仰角及び距離を、補正値計算部１５０が計算した搬送波位相補正値および擬似距離補正値に基づいて補正する。その後、測位部１４０は、補正した観測地点から衛星２００方向の方位角、仰角及び距離を、測位結果として出力する。
【００６９】
ここで、上述したように、本発明の一実施形態の測位装置１００は、選択部１６０を含む。選択部１６０は、複数の測位システムの各々から送信される複数の補強信号から、所定の条件に基づいて、測位結果の補正に用いる補強信号を選択する機能を含む。
【００７０】
例えば、選択部１６０は、ＣＬＡＳの補強信号と、ＭＡＤＯＣＡの補強信号とのいずれを用いるかを選択可能である。また、選択部１６０は、ＣＬＡＳの補強信号を用いて計算した補正情報と、ＭＡＤＯＣＡの補強信号を用いて計算した補正情報とのいずれを用いて、測位結果を補正するかを、選択する機能を備えていてもよい。さらに、選択部１６０は、ＣＬＡＳの補強信号を用いて計算した補正情報により補正された測位結果と、ＭＡＤＯＣＡの補強信号を用いて計算した補正情報により補正された測位結果とのうち、測位結果として出力する測位結果を選択してもよい。
【００７１】
ここで、例えばＭＡＤＯＣＡの補強信号を用いて測位結果を補正する場合、ＭＡＤＯＣＡの補強信号には衛星クロック誤差と衛星軌道誤差を補正するための情報しか含まれていない場合もあり、そのような場合には、信号バイアス、対流圏誤差および電離層誤差の各々を補正するための補正情報は、衛星信号から計算する必要がある。そのため、精度の高い補正情報を計算するには、所定の時間を要する。その結果、ＭＡＤＯＣＡの補強信号により誤差を補正し、ｃｍ級の測位結果を出力するまでには、所定の時間を要する場合がある。例えば、ＭＡＤＯＣＡにおいては、衛星軌道と衛星時計に関する補強信号を受信するだけであり、電離層遅延と対流圏遅延を衛星から実際に連続的に受信した観測値を元に数学的に確率論的に推定する必要があり、当該位置推定値がｃｍ級測位に収束するまでには、３０分程度要する場合がある。言い換えると、ＭＡＤＯＣＡにおいて、測位部１５０は、衛星から連続的に信号を受信し、受信した観測値を元に計算した測位装置１００の位置と、測位部１４０で推定した測位装置１００の位置の誤差を、カルマンフィルタを用いて小さくしていく処理を行うが、当該処理に例えば３０分程度要するのである。この点、ＣＬＡＳの補強信号を用いて測位結果を補正する場合には、衛星軌道補正値や衛星時刻、電離層誤差値などを受信可能であるため、ｃｍ級測位は１分程度の数学的処理により位置推定が収束する。
【００７２】
一方、例えばＣＬＡＳの補強信号を用いて測位結果を補正する場合、ＣＬＡＳのシステムにおいて送受信可能な衛星２００の数が所定数に限られる場合があり、当該所定数の衛星２００の位置が偏っていると、当該偏った衛星２００からの補強信号を用いて補正情報を計算せざるを得ず、正確な補正情報が得られない恐れもある。また、ＣＬＡＳのシステムでは、測定装置１００が高速移動している場合には、正しい補正情報を計算することができない恐れもある。
【００７３】
そこで、本発明の一実施形態における測位装置１００は、異なる複数のシステムの各々に対応する複数の補強信号のうち、所定の条件に基づいて、測位結果を補正する補強信号を選択する選択部１６０を備える。当該選択部１６０を備える測位装置１００は、所定の条件に基づいて、例えば適切な補強信号を選択することにより、より正確な測位結果を算出することが可能となる。
【００７４】
図１は、本発明の一実施形態における測位装置１００の構成例を示す図である。図１に示すように、測位装置１００は、受信部１２０とデータ変換部１３０との間に、選択部１６０を備える。図１に例示する測位装置１００は、受信部１２０が受信した補強信号のうち、所定の条件を用いて選択した補強信号を用いて、補正情報を計算する。
【００７５】
また、図１に例示する測位装置１００は、ＣＬＡＳからの補強信号と、ＭＡＤＯＣＡからの補強信号とを受信し、それぞれの補強信号から補正信号を算出することが可能である。そこで、測位装置１００は、測位開始から所定の時間までは、ＣＬＡＳの補強信号を用いて補正情報を計算し、所定の時間以降はＭＡＤＯＣＡの補強信号を用いて補正情報を計算してもよい。なお、所定の時間は、例えば、ＭＡＤＯＣＡの補強信号を用いて例えばｃｍ級の測位結果を出力可能になるまでに要する時間であり、例えば、約３０分である。なお、所定の時間は、約３０分に限定されず、どのような時間であってもよい。
【００７６】
この場合において、測位部１４０は、ＣＬＡＳからＭＡＤＯＣＡに切り替える際に、それまでＣＬＡＳの補強信号を用いて計算していた補正情報の少なくとも一部を、ＭＡＤＯＣＡの補強信号を用いて計算した測位結果を収束させる処理の初期値として利用してもよい。例えば、ＣＬＡＳの補強信号は、ｃｍ級の測位結果が１分ほどで判明するため、当該測位結果をＭＡＤＯＣＡにおける測位結果の収束処理の初期値として利用することにより、当該ＭＡＤＯＣＡにおける測位結果の収束時間を短縮させることが可能となる。
【００７７】
選択部１６０が、測位結果の補強に用いる補強信号を決定するための所定の条件は、例えば、“補強信号を受信していること”である。この場合、測位装置１００は、受信している補強信号を用いて、測位結果の補正を行うと決定する。例えば、選択部１６０は、Ｌ６周波数（例えば、１２７８．７５ＭＨｚ）の補強信号のうち、受信している補強信号を用いて測位結果を補正すると決定する。具体的には、測位装置１００は、ＣＬＡＳの補強信号と、ＭＡＤＯＣＡの補強信号とのうち、実際に受信している補強信号を用いて、データ変換部１３０により補正情報を計算する。
【００７８】
所定の条件は、例えば、“測位結果の補正の精度が高いこと”であってもよい。この場合、測位装置１００は、受信する複数の補強信号のうち、測位結果の補正の精度が高い衛星信号を用いて、補正情報を計算すると決定する。例えば、選択部１６０は、同時に受信しているＬ６周波数の補強信号のうち、補正の精度が高い補強信号を用いて、測位結果の補正を行うと決定する。
【００７９】
上述したように、ＣＬＡＳでは、測位装置１００が送受信可能な衛星２００の数は、所定数に制限される場合がある。そのような場合において、所定数の衛星２００の位置が偏っている場合には、補正の精度が低くなる恐れがある。そのような場合には、所定数を超えて衛星２００と送受信可能なＭＡＤＯＣＡの補強信号を用いた方が、測位結果の補正の精度が高まる。そこで、選択部１６０は、“測位結果の補正の精度が高いこと”という所定の条件に基づいて、例えば、ＭＡＤＯＣＡの補強信号を選択する。
【００８０】
また、所定の条件は、“補強信号を送受信可能な衛星２００の数がより多いこと”であってもよい。この場合、測位装置１００は、受信する複数の補強信号のうち、補強信号を送受信可能な衛星２００の数がより多いシステムの補強信号を用いて、衛星信号の補正を行うと決定する。
【００８１】
ＣＬＡＳでは、測位装置１００が送受信可能な衛星２００の数は、所定数に制限される場合がある。一方、ＭＡＤＯＣＡでは、測位装置１００は、所定数以上の衛星２００と送受信可能である。そこで、選択部１６０は、測定装置１００が所定数より多くの衛星２００と接続可能な場合、“補強信号を送受信可能な衛星２００の数がより多いこと”という所定の条件に基づいて、例えば、ＭＡＤＯＣＡの補強信号を選択する。なお、測位装置１００の選択部１６０は、所定数以下の衛星２００と接続可能な場合には、ＣＬＡＳまたはＭＡＤＯＣＡのうち、補強信号を送受信可能な衛星２００の数がより多い方の補強信号を選択する。また、ＭＡＤＯＣＡとＣＬＡＳとにおいて、送受信可能な衛星２００の数が同数の場合には、例えば他の所定の条件に基づいて、いずれかのシステムからの補強信号を選択する。
【００８２】
また、所定の条件は、例えば、“測位結果の収束に要する時間が短いこと”であってもよい。この場合、測位装置１００は、受信する複数の補強信号のうち、ｃｍ級の測位結果の収束に要する時間が短い補強信号を用いて、衛星信号の補正を行うと決定する。例えば、選択部１６０は、同時に受信しているＣＬＡＳの補強信号と、ＭＡＤＯＣＡの補強信号のうち、ｃｍ級の測位結果の収束に要する時間が短いＣＬＡＳ（又はＭＡＤＯＣＡ）の補強信号を用い補正情報を計算すると決定する。
【００８３】
上述したように、ＭＡＤＯＣＡでは、補強信号に衛星クロック誤差と衛星軌道誤差を補正するための情報しか含まれていない場合もあり、そのような場合には、信号バイアス、対流圏誤差および電離層誤差の各々を補正するための補正情報は、衛星信号から計算する必要がある。そして、衛星信号から信号バイアスや対流圏誤差、電離層誤差の各々を補正するための補正情報を計算し、当該補正情報に基づいてｃｍ級の測位結果に収束させるためには、所定の時間を要する。一方、ＣＬＡＳの補強信号には、衛星クロック誤差と衛星軌道誤差の他、信号バイアス、対流圏誤差および電離層誤差の補正に関する情報も含まれている。そのため、ＭＡＤＯＣＡに比べて、ＣＬＡＳの方が、ｃｍ級の測位結果の収束に要する時間が短い場合がある。そこで、選択部１６０は、“測位結果の収束に要する時間が短いこと”という所定の条件に基づいて、例えば、ＣＬＡＳの補強信号を選択する。
【００８４】
また、所定の条件は、動的に変更可能であってもよい。例えば、所定の条件は、一の時間帯（例えば、測位開始から３０分未満）には“ｃｍ級の測位結果の収束に要する時間が短いこと”と設定し、他の時間帯（例えば、測位開始から３０分以上）であれば“測位結果の補正の精度が高いこと”と設定してもよい。このような所定の条件により補強信号を選択することにより、測位装置１００は、例えば、同時に受信しているＣＬＡＳの補強信号と、ＭＡＤＯＣＡの補強信号のうち、測位開始から３０分未満はＣＬＡＳの補強信号を用いて、３０分後からはＭＡＤＯＣＡの補強信号を用いて、補正情報を計算すると決定する。
【００８５】
また、所定の条件は、例えば、“優先度が高いこと”であってもよい。例えば、複数の補強信号の各々に予め優先度を設定し、測位装置１００は、受信する複数の補強信号のうち、優先度の高い補強信号を用いて、補正情報を計算すると決定する。
【００８６】
優先度の高い補正情報は、例えば、ユーザ等が任意に設定可能であり、ＭＡＤＯＣＡ（又はＣＬＡＳ）の補強信号の優先度を、ＣＬＡＳ（又はＭＡＤＯＣＡ）の補強信号の優先度よりも高く設定可能である。
【００８７】
補強信号の優先度は、測位装置１００が起動した時間からの経過時間に応じて、変更可能であってもよい。例えば、測位装置１００が起動してから経過時間が３０分以内であれば、ＣＬＡＳの補強信号の優先度を高くし、３０分経過後にはＭＡＤＯＣＡの衛星信号の優先度を高く設定してもよい。
【００８８】
なお、補強信号の優先度の例は、これらに限られず、どのように設定してもよく、例えば、当該補強信号を発信する衛星の種類に基づいて、決定してもよい。例えば、ユーザが利用したいと考える衛星からの補強信号の優先度が、高く設定されてもよい。
【００８９】
また、測位装置１００の選択部１６０は、複数の所定の条件を組み合わせて、複数の補強信号のうち、測位結果の補正に用いる補強信号を選択してもよい。例えば、選択部１６０は、“補強信号を送受信可能な衛星２００の数がより多いこと”という第１の所定の条件と、“測位結果の収束に要する時間が短いこと”という第２の所定の条件を設定し、第１の所定の条件において補強信号を選択できない場合に、第２の所定の条件を用いて補強信号を選択してもよい。
【００９０】
上記の通り、選択部１６０は、同時に受信可能な複数の補強信号があった場合に、所定の条件に基づいて、いずれの補強信号を用いて、補正情報を計算するかを決定する。そのため、測位装置１００は、同時に受信する複数の補強信号がある場合に、最適な衛星信号を用いて、補正情報を計算することが可能となる。
【００９１】
図５は、本発明の一実施形態における測位装置１００の他の構成例を示す図である。図５に示すように、測位装置１００は、データ変換部１３０の後に、選択部１６０を備える。図５に例示する測位装置１００は、データ変換部１３０が計算した補正情報のうち、所定の条件を用いて選択した補正情報に基づいて、測位結果を補正する。
【００９２】
図５に示す測位装置１００の選択部１６０は、所定の条件に基づいて、データ変換部１３０が計算した補正情報のうち、所定の条件に基づいて選択した補正情報を、測位部１４０に出力する。
【００９３】
なお、測位部１４０は、ＣＬＡＳからＭＡＤＯＣＡに切り替える際に、それまでＣＬＡＳの補強信号を用いて計算していた補正情報の少なくとも一部を、ＭＡＤＯＣＡの補強信号を用いて測位結果を収束させる場合の初期値として利用してもよい。例えば、ＣＬＡＳの補強信号を用いて計算した則結果を、ＭＡＤＯＣＡの補強信号から測位結果を収束させる場合の初期値として利用することにより、ＭＡＤＯＣＡの補強信号から測位結果を収束させる場合に要する時間を短縮することができる。
【００９４】
選択部１６０が、測位結果の補強に用いる補正情報を決定するための所定の条件は、例えば、“補正情報の入力があること”である。この場合、測位装置１００は、入力している補正情報を用いて、測位結果の補正を行うと決定する。例えば、選択部１６０は、ＣＬＡＳの補強信号から計算された補正情報と、ＭＡＤＯＣＡの補強信号から計算された補正情報のうち、実際に入力のある補正情報を、測位部１４０に出力する。
【００９５】
所定の条件は、例えば、“測位結果の補正の精度が高いこと”であってもよい。この場合、測位装置１００の選択部１６０は、複数の補正情報のうち、測位結果の補正の精度が高い補正情報を、測位部１４０に出力する。例えば、選択部１６０は、同時に入力のある補正情報のうち、補正の精度が高い補正情報を用いて、測位結果の補正を行うと決定する。
【００９６】
上述したように、ＣＬＡＳでは、測位装置１００が送受信可能な衛星２００の数は、所定数に制限される場合がある。そのような場合において、所定数の衛星２００の位置が偏っている場合には、補正の精度が低くなる恐れがある。そのような場合には、所定数を超えて衛星２００と送受信可能なＭＡＤＯＣＡの補強信号を用いた方が、測位結果の補正の精度が高まる。そこで、選択部１６０は、複数の補正情報のうち、“測位結果の補正の精度が高いこと”という所定の条件に基づいて、例えば、ＭＡＤＯＣＡの補強信号から算出した補正情報を選択する。
【００９７】
また、所定の条件は、“補強信号を送受信可能な衛星２００の数がより多いこと”であってもよい。この場合、測位装置１００は、複数の補正情報のうち、補強信号を送受信可能な衛星２００の数がより多いシステムの補強信号から算出された補正情報を用いて、衛星信号の補正を行うと決定する。
【００９８】
ＣＬＡＳでは、測位装置１００が送受信可能な衛星２００の数は、所定数に制限される場合がある。一方、ＭＡＤＯＣＡでは、測位装置１００は、所定数以上の衛星２００と送受信可能である。そこで、選択部１６０は、測定装置１００が所定数より多くの衛星２００と接続可能な場合、“補強信号を送受信可能な衛星２００の数がより多いこと”という所定の条件に基づいて、例えば、ＭＡＤＯＣＡの補強信号から算出された補正情報を選択する。
【００９９】
また、所定の条件は、例えば、“測位結果の収束に要する時間が短いこと”であってもよい。この場合、測位装置１００は、受信する複数の補強信号のうち、ｃｍ級の測位結果の収束に要する時間が短い補強信号から算出された補正信号を用いて、衛星信号の補正を行うと決定する。例えば、選択部１６０は、同時に受信しているＣＬＡＳの補強信号と、ＭＡＤＯＣＡの補強信号のうち、ｃｍ級の測位結果の収束に要する時間が短いＣＬＡＳ（又はＭＡＤＯＣＡ）の補強信号から算出された補正情報を選択する。
【０１００】
また、所定の条件は、例えば、“優先度が高いこと”であってもよい。例えば、複数の補正情報の各々に予め優先度を設定し、測位装置１００は、受信する複数の補正情報のうち、優先度の高い補正情報を用いて、測位結果の補正を行うと決定する。
【０１０１】
優先度の高い補正情報は、例えば、ユーザ等が任意に設定可能であり、ＭＡＤＯＣＡ（又はＣＬＡＳ）の補強信号から計算された補正情報の優先度を、ＣＬＡＳ（又はＭＡＤＯＣＡ）の補強信号から計算された補正情報の優先度よりも高く設定可能である。
【０１０２】
なお、補正情報の優先度の例は、これらに限られず、どのように設定してもよく、例えば、ユーザが利用したいと考える衛星からの補強信号に基づいて計算された補正情報の優先度が、高く設定されてもよい。
【０１０３】
上記の通り、選択部１６０は、同時に入力可能な複数の補正情報があった場合に、所定の条件に基づいて、いずれの補正情報を用いて、測位結果の補正を行うかを決定する。そのため、測位装置１００は、同時に入力された複数の補正情報がある場合に、最適な補正情報を用いて、測位結果の補正を行うことが可能となる。
【０１０４】
図６は、本発明の一実施形態における測位装置１００の他の構成例を示す図である。図６に示すように、測位装置１００は、測位部１４０の後に、選択部１６０を備える。図６に例示する測位装置１００の選択部１６０は、複数の補正情報に基づいて算出した複数の測位結果のうち、所定の条件を用いて選択した測位結果を出力する。
【０１０５】
なお、測位部１４０は、ＣＬＡＳからＭＡＤＯＣＡに切り替える際に、それまでＣＬＡＳの補強信号を用いて計算していた補正情報の少なくとも一部を、ＭＡＤＯＣＡの補強信号を用いて補正情報を算出する場合の初期値として利用してもよい。例えば、ＣＬＡＳの補強信号を用いて計算していた衛星軌道誤差に関する補正情報を、ＭＡＤＯＣＡの補強信号から補正情報を算出する場合の初期値として利用することにより、ＭＡＤＯＣＡの補強信号から補正情報を算出する場合の要する時間を短縮することができる。
【０１０６】
選択部１６０が、複数の補正情報に基づいて算出した複数の測位結果のうち、出力する測位結果を決定するための所定の条件は、例えば、“補正情報の入力があること”である。この場合、測位装置１００の測位部１４０は、入力している補正情報を用いて、測位結果の補正を行うと決定する。例えば、測位部１４０は、ＣＬＡＳの補正情報とＭＡＤＯＣＡの補正情報とのうち、入力のある補正情報に基づいて補正された測位結果を出力すると決定する。
【０１０７】
所定の条件は、例えば、“測位結果の補正の精度が高いこと”であってもよい。この場合、測位装置１００の測位部１４０は、測位結果の補正の精度が高い補正情報を用いて算出された測位結果を出力する。例えば、測位部１４０は、複数の補正情報の各々を用いて補正された測位結果のうち、補正の精度が高い補正情報を用いて補正された測位結果を出力する。
【０１０８】
また、所定の条件は、“補強信号を送受信可能な衛星２００の数がより多いこと”であってもよい。この場合、測位装置１００は、複数の測位結果のうち、補強信号を送受信可能な衛星２００の数がより多いシステムの補強信号から算出された補正情報を用いて補正された測位結果を、出力する。
【０１０９】
ＣＬＡＳでは、測位装置１００が送受信可能な衛星２００の数は、所定数に制限される場合がある。一方、ＭＡＤＯＣＡでは、測位装置１００は、所定数以上の衛星２００と送受信可能である。そこで、選択部１６０は、測定装置１００が所定数より多くの衛星２００と接続可能な場合、“補強信号を送受信可能な衛星２００の数がより多いこと”という所定の条件に基づいて、例えば、ＭＡＤＯＣＡの補強信号から算出された補正情報を用いて補正された測位結果を出力する。
【０１１０】
また、所定の条件は、例えば、“測位結果の収束に要する時間が短いこと”であってもよい。この場合、測位装置１００は、受信する複数の補強信号のうち、ｃｍ級の測位結果の収束に要する時間が短い補強信号から算出された補正信号を用いて補正された測位結果を、出力する。例えば、選択部１６０は、同時に受信しているＣＬＡＳの補強信号と、ＭＡＤＯＣＡの補強信号のうち、ｃｍ級の測位結果の収束に要する時間が短いＣＬＡＳ（又はＭＡＤＯＣＡ）の補強信号から算出された補正情報を用いて補正された測位結果を、出力する。
【０１１１】
また、所定の条件は、例えば、“優先度が高いこと”であってもよい。例えば、複数の補正情報の各々に予め優先度を設定し、測位部１４０は、優先度の高い補正情報を用いて補正された測位結果を出力する。
【０１１２】
優先度の高い補正情報は、例えば、ユーザ等が任意に設定可能であり、ＭＡＤＯＣＡ（又はＣＬＡＳ）の補強信号から計算された補正情報の優先度を、ＣＬＡＳ（又はＭＡＤＯＣＡ）の補強信号から計算された補正情報の優先度よりも高く設定可能である。
【０１１３】
なお、補正情報の優先度の例は、これらに限られず、どのように設定してもよく、例えば、ユーザが利用したいと考える衛星からの補強信号に基づいて計算された補正情報の優先度が、高く設定されてもよい。
【０１１４】
上記の通り、測位部１４０は、複数の補正情報に基づいて算出した複数の測位結果のうち、所定の条件を用いて選択した測位結果を出力する。そのため、測位装置１００は、複数の補正情報の各々に基づいて、複数の測位結果が算出された場合に、最適な測位結果を出力することが可能となる。
【０１１５】
（動作例）
図７は、本発明の一実施形態における測位装置１００の動作例を示すフローチャートである。なお、図７は、図１に示す測位装置１００の動作例を示すフローチャートである。
【０１１６】
図７に示すように、測位装置１００の受信部１２０は、複数の衛星の少なくとも一部から、衛星信号および複数の補強信号を受信可能である（Ｓ１０１）。受信部１２０は、例えば、ＣＬＡＳの補強信号と、ＭＡＤＯＣＡの補強信号とを受信可能である。
【０１１７】
選択部１６０は、受信部１２０が受信した複数の補強信号のうち、所定の条件に基づいて、測位結果を補正するために用いる補強信号を選択する（Ｓ１０２）。選択部１６０は、例えば、補強信号を受信していることという所定の条件に基づいて、ＭＡＤＯＣＡの補強信号を選択する。
【０１１８】
データ変換部１３０は、選択部１６０が選択した補強信号に基づいて、測位結果を補正するための補正情報を計算する（Ｓ１０３）。データ変換部１３０は、例えば、選択部１６０が選択したＭＡＤＯＣＡの補強信号を用いて、補正情報を計算する。
【０１１９】
測位部は、受信部１２０が受信した衛星信号を用いて、自装置の位置を測位する（Ｓ１０４）。また、測位部は、測位した測位結果（すなわち、自装置の位置）を、データ変換部１３０が計算した補正情報に基づいて、補正する（Ｓ１０５）。
【０１２０】
測位部は、補正情報に基づいて補正した測位結果を、出力する（Ｓ１０６）。
【０１２１】
上記の通り、本発明の一実施形態における測位装置１００は、同時に受信可能な複数の補強信号があった場合に、所定の条件に基づいて、いずれの補強信号を用いて、補正情報を計算するかを決定する。そのため、測位装置１００は、同時に受信する複数の補強信号がある場合に、最適な衛星信号を用いて、補正情報を計算することが可能となる。
【０１２２】
図８は、本発明の一実施形態における測位装置１００の動作例を示すフローチャートである。なお、図８は、図５に示す測位装置１００の動作例を示すフローチャートである。
【０１２３】
図８に示すように、測位装置１００の受信部１２０は、複数の衛星の少なくとも一部から、衛星信号および複数の補強信号を受信可能である（Ｓ２０１）。受信部１２０は、例えば、ＣＬＡＳの補強信号と、ＭＡＤＯＣＡの補強信号とを受信可能である。
【０１２４】
データ変換部１３０は、複数の補強信号の各々に基づいて、測位結果を補正するための補正情報を計算する（Ｓ２０２）。例えば、データ変換部１３０は、ＣＬＡＳの補強信号とＭＡＤＯＣＡの補強信号の各々について、補正情報を計算する。
【０１２５】
選択部１６０は、データ変換部１３０が計算した複数の補正情報のうち、所定の条件に基づいて、測位結果を補正するために用いる補正情報を選択する（Ｓ２０３）。例えば、選択部１６０は、ＣＬＡＳの補強信号から計算した補正情報と、ＭＡＤＯＣＡの補強信号から計算した補正情報とうち、予め定められた優先度が高いことという所定の条件に基づいて、ＭＡＤＯＣＡの補強信号から計算した補正情報を選択する。
【０１２６】
測位部は、受信部１２０が受信した衛星信号を用いて、自装置の位置を測位する（Ｓ２０４）。また、測位部は、測位した測位結果（すなわち、自装置の位置）を、選択部１６０が選択した補正情報に基づいて、補正する（Ｓ２０５）。
【０１２７】
測位部は、補正情報に基づいて補正した測位結果を、出力する（Ｓ２０６）。
【０１２８】
上記の通り、選択部１６０は、同時に入力可能な複数の補正情報があった場合に、所定の条件に基づいて、いずれの補正情報を用いて、測位結果の補正を行うかを決定する。そのため、測位装置１００は、同時に入力された複数の補正情報がある場合に、最適な補正情報を用いて、測位結果の補正を行うことが可能となる。
【０１２９】
図９は、本発明の一実施形態における測位装置１００の動作例を示すフローチャートである。なお、図９は、図６に示す測位装置１００の動作例を示すフローチャートである。
【０１３０】
図９に示すように、測位装置１００の受信部１２０は、複数の衛星の少なくとも一部から、衛星信号および複数の補強信号を受信可能である（Ｓ３０１）。受信部１２０は、例えば、ＣＬＡＳの補強信号と、ＭＡＤＯＣＡの補強信号とを受信可能である。
【０１３１】
データ変換部１３０は、複数の補強信号の各々に基づいて、測位結果を補正するための補正情報を計算する（Ｓ３０２）。例えば、データ変換部１３０は、ＣＬＡＳの補強信号とＭＡＤＯＣＡの補強信号の各々について、補正情報を計算する。
【０１３２】
測位部１５０は、受信部１２０が受信した衛星信号を用いて、自装置の位置を測位する（Ｓ３０３）。また、測位部は、測位した測位結果（すなわち、自装置の位置）を、データ変換部１３０が算出した補正信号の各々を用いて補正する（Ｓ３０４）。例えば、測位部１５０は、ＣＬＡＳの補強信号から算出された補正情報と、ＭＡＤＯＣＡの補強信号から算出された補正情報の各々を用いて、測位結果を補正する。
【０１３３】
選択部１６０は、測位部１５０が算出した複数の測位結果のうち、所定の条件に基づいて、出力する測位結果を選択し、選択した測位結果を出力する（Ｓ３０５）。選択部１６０は、例えば、ｃｍ級の測位結果の収束に要する時間が短いことという所定の条件に基づいて、ＣＬＡＳの補強信号から算出された補正情報を用いて補正した測位結果を、出力する。
【０１３４】
上記の通り、測位部１４０は、複数の補正情報に基づいて算出した複数の測位結果のうち、所定の条件を用いて選択した測位結果を出力する。そのため、測位装置１００は、複数の補正情報の各々に基づいて、複数の測位結果が算出された場合に、最適な測位結果を出力することが可能となる。
【０１３５】
（変形例）
図１０は、本発明の第１の実施形態における測位システムの他の構成例を示す図である。図１０に示すように、測位システムは、複数の衛星と、測位装置１００と、ネットワークとを含む。
【０１３６】
図１０に示す測位システムにおいて、測位装置１００は、ネットワークから補強信号を受信してもよい。図１０に示すように、測位装置１００は、第２受信部１８０を用いて、例えば、ＭＡＤＯＣＡ（及び／又はＣＬＡＳ）の補強信号を、ネットワークから受信可能である。測位装置１００のデータ変換部１３０は、ネットワークから受信した補強信号を用いて補正情報を算出可能である。なお、測位装置１００は、衛星からの衛星信号や補強信号を、第１受信部１７０を用いて受信可能である。
【０１３７】
ここで、ネットワークは、有線ネットワークや無線ネットワークであり、イントラネット、エクストラネット、仮想プライベート・ネットワーク（ｖｉｒｔｕａｌ  ｐｒｉｖａｔｅ  ｎｅｔｗｏｒｋ：ＶＰＮ）、ローカル・エリア・ネットワーク（ｌｏｃａｌ  ａｒｅａ  ｎｅｔｗｏｒｋ：ＬＡＮ）、広域ネットワーク（ｗｉｄｅ  ａｒｅａ  ｎｅｔｗｏｒｋ：ＷＡＮ）、インターネット、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）ＣＤＭＡ（ｃｏｄｅ  ｄｉｖｉｓｉｏｎ  ｍｕｌｔｉｐｌｅ  ａｃｃｅｓｓ）、ブルートゥース（Ｂｌｕｅｔｏｏｔｈ（登録商標））、衛星通信などである。なお、本発明の一実施形態において、ネットワークは、これらに限定されない。
【０１３８】
図１０に例示するように、測位装置１００の選択部１６０は、アンテナ１１０を介して衛星２００から受信した補強信号と、ネットワークから受信した補強信号とについて、所定の条件に基づいて、いずれかの補強信号を選択する。
【０１３９】
なお、図１０に例示する測位装置１００の構成例は、あくまでも例示であって、選択部１６０は、図５のようにデータ変換部１３０の後に設けられていても、図６のように測位部１４０の後に設けられていてもよい。
【０１４０】
なお、測位装置１００は、集積回路（ＩＣチップ）等に形成された論理回路（ハードウェア）によって実現してもよいし、ＣＰＵ（Central Processing Unit）を用いてソフトウェアによって実現してもよい。後者の場合、測位装置１００は、各機能を実現するソフトウェアであるプログラムの命令を実行するＣＰＵ、上記プログラムおよび各種データが情報処理装置（またはＣＰＵ）で読み取り可能に記録されたＲＯＭ（Read Only Memory）または記憶装置（これらを「記録媒体」と称する）、上記プログラムを展開するＲＡＭ（Random Access Memory）等を備えている。そして、情報処理装置（またはＣＰＵ）が上記プログラムを上記記録媒体から読み取って実行することにより、本発明の目的が達成される。また、上記プログラムは、当該プログラムを伝送可能な任意の伝送媒体（通信ネットワークや放送波等）を介して上記情報処理装置に供給されてもよい。本発明は、上記プログラムが電子的な伝送によって具現化された、搬送波に埋め込まれたデータ信号の形態でも実現され得る。
【０１４１】
なお、上記プログラムは、例えば、ActionScript、JavaScript（登録商標）等のスクリプト言語、Objective-C、Java（登録商標）等のオブジェクト指向プログラミング言語、HTML5等のマークアップ言語等を用いて実装できる。また、上記プログラムによって実現される各機能を実現する各構成部を備えた携帯端末（例えば、測位装置１００）と、上記各機能とは異なる残りの機能を実現する各構成部を備えたサーバとを含むゲームシステムも、本発明の範疇に入る。
【０１４２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上記実施の形態に示す構成を適宜組み合わせることとしてもよい。
【符号の説明】
【０１４３】
１００  測位装置
１１０  アンテナ
１２０  受信部
１３０  データ変換部
１４０  測位部
１５０  補正値計算部
１６０  選択部
１７０  第１受信部
１８０  第２受信部
１３１  補強信号デコード部
１３２  衛星位置計算部
１３３  位置測位部
１３４  衛星時計誤差計算部
１３５  シグナルバイアス計算部
１３６  衛星軌道誤差計算部
１３７  対流圏誤差計算部
１３８  電離層誤差計算部
２００  衛星
【図１】
2018100874.tif 000003
【図２】
2018100874.tif 000004
【図３】
2018100874.tif 000005
【図４】
2018100874.tif 000006
【図５】
2018100874.tif 000007
【図６】
2018100874.tif 000008
【図７】
2018100874.tif 000009
【図８】
2018100874.tif 000010
【図９】
2018100874.tif 000011
【図１０】
2018100874.tif 000012
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
衛星信号および複数の補強信号を受信可能な受信部と、
前記受信した衛星信号に基づいて、自装置の位置を測位する測位部と、
前記受信した複数の補強信号のうち、所定の条件に基づいて、前記測位部による測位結果を補正するために用いる補強信号を選択する選択部と、
前記選択部が選択した補強信号に基づいて、測位結果を補正するための補正情報を計算するデータ変換部と、を備え、
前記測位部は、前記データ変換部が計算した補正情報を用いて、前記測位部による測位結果を補正し、
前記選択部は、所定の時間内であれば第１の所定の条件を用いて補強信号を選択し、前記所定の時間経過後であれば第２の所定の条件を用いて補強信号を選択する測位装置。
【請求項２】
前記第１の所定の条件は、補正情報の計算に要する時間が短いことであり、
前記第２の所定の条件は、測位結果の補正の精度が高いことである
ことを特徴とする請求項１に記載の測位装置。
【請求項３】
前記選択部は、前記所定の時間内において前記第１の所定の条件に基づき、前記複数の補強信号のうち、前記測位結果の収束に要する時間が短い補強信号を選択する
ことを特徴とする請求項１又は２に記載の測位装置。
【請求項４】
前記選択部は、前記所定の時間内において前記第１の所定の条件に基づき、前記複数の補強信号のうち、予め定められた優先度が高い補強信号を選択する
ことを特徴とする請求項１乃至３のいずれかに記載の測位装置。
【請求項５】
前記選択部は、前記所定の時間経過後において前記第２の所定の条件に基づき、前記複数の補強信号のうち、前記測位装置が補強信号を受信可能な衛星の数がより多い衛星からの補強信号を選択する
ことを特徴とする請求項１乃至４のいずれかに記載の測位装置。
【請求項６】
前記受信部は、前記複数の補強信号のうちの少なくとも１つを、ネットワークから受信可能である
ことを特徴とする請求項１乃至５のいずれかに記載の測位装置。
【請求項７】
前記複数の補強信号の各々は、前記測位結果を補正するための異なる複数のシステムの補強信号の各々に対応し、
前記選択部は、前記異なる複数のシステムの各々に対応する前記複数の補強信号のうち、前記所定の条件に基づいて、前記測位部による測位結果を補正するために用いる補強信号を選択する
ことを特徴とする請求項１乃至６のいずれかに記載の測位装置。
【請求項８】
前記測位部は、前記異なる複数のシステムのうち、一のシステムに対応する補強信号から算出された補正情報を、他のシステムに対応する補強信号から計測結果を収束する際の初期値として利用する
ことを特徴とする請求項７に記載の測位装置。
【請求項９】
前記複数の補強信号は、ＣＬＡＳにおける補強信号と、ＭＡＤＯＣＡにおける補強信号とを含み、
前記選択部は、ＣＬＡＳにおける補強信号と、ＭＡＤＯＣＡにおける補強信号とのいずれかを選択する
ことを特徴とする請求項１乃至８のいずれかに記載の測位装置。
【請求項１０】
衛星信号および複数の補強信号を受信可能な受信部と、
前記受信した衛星信号に基づいて、自装置の位置を測位する測位部と、
前記受信した複数の補強信号の各々に対して、測位結果を補正するための補正情報を計算するデータ変換部と、
前記データ変換部が計算した複数の補正情報のうち、所定の条件に基づいて、前記測位部による測位結果を補正するために用いる補正情報を選択する選択部と、を備え、
前記測位部は、前記選択部が選択した補正情報を用いて、前記測位部による測位結果を補正し、
前記選択部は、所定の時間内であれば第１の所定の条件を用いて補正情報を選択し、前記所定の時間経過後であれば第２の所定の条件を用いて補正情報を選択する測位装置。
【請求項１１】
衛星信号および複数の補強信号を受信可能な受信部と、
受信した前記複数の補強信号の各々に対して、測位結果を補正するための補正情報を計算するデータ変換部と、
前記受信した衛星信号に基づいて自装置の位置を測位するとともに、前記データ変換部が計算した複数の補正情報の各々を用いて、測位した前記自装置の位置を補正する測位部と、
前記測位部が複数の補正情報の各々を用いて補正した、複数の測位結果のうち、所定の条件に基づいて、出力する測位結果を選択する選択部と、を備え、
前記選択部は、所定の時間内であれば第１の所定の条件を用いて測位結果を選択し、前記所定の時間経過後であれば第２の所定の条件を用いて測位結果を選択する測位装置。
【請求項１２】
衛星信号および複数の補強信号を受信する受信ステップと、
前記受信した衛星信号に基づいて、自装置の位置を測位する測位ステップと、
前記受信した複数の補強信号のうち、所定の条件に基づいて、前記測位ステップによる測位結果を補正するために用いる補強信号を選択する選択ステップと、
前記選択した補強信号に基づいて、測位結果を補正するための補正情報を計算するデータ変換ステップと、を含み、
前記データ変換ステップにおいて、前記計算した補正情報を用いて、前記測位結果を補正し、
前記選択ステップにおいて、所定の時間内であれば第１の所定の条件を用いて補強信号を選択し、前記所定の時間経過後であれば第２の所定の条件を用いて補強信号を選択する測位方法。
【請求項１３】
コンピュータに、
衛星信号および複数の補強信号を受信する受信機能と、
前記受信した衛星信号に基づいて、自装置の位置を測位する測位機能と、
前記受信した複数の補強信号のうち、所定の条件に基づいて、前記測位機能による測位結果を補正するために用いる補強信号を選択する選択機能と、
前記選択した補強信号に基づいて、測位結果を補正するための補正情報を計算するデータ変換機能と、を実行させ、
前記データ変換機能において、前記計算した補正情報を用いて、前記測位結果を補正し、
前記選択機能において、所定の時間内であれば第１の所定の条件を用いて補強信号を選択し、前記所定の時間経過後であれば第２の所定の条件を用いて補強信号を選択するプログラム。